(57)【特許請求の範囲】
【請求項１】
撮影レンズ系と、該撮影レンズ系の光軸とは異なる光軸を有するファインダー系とを備えたカメラにおいて、
前記撮影レンズ系と前記ファインダー系とを同時に変倍させるために、前記撮影レンズ系中の複数のレンズ群と前記ファインダー系中の複数のレンズ群とを同時に移動させるための駆動手段を備え、
前記駆動手段は、被写体の位置情報に基づいて前記撮影レンズ系の前記複数のレンズ群のうち少なくとも１つのレンズ群と前記ファインダー系の前記複数のレンズ群のうち少なくとも１つのレンズ群とを同時に移動させることによって、前記被写体に対して前記撮影レンズ系と前記ファインダー系とを同時に合焦させ、
前記駆動手段による回転駆動量を前記撮影レンズ系の少なくとも１つのレンズ群の光軸方向の移動量に変換するための第１案内手段と、前記駆動手段による回転駆動量を前記ファインダー系の少なくとも１つのレンズ群の光軸方向の移動量に変換するための第２案内手段とを有し、
前記撮影レンズ系は、前記第１案内手段に沿った軌道において基準距離にある被写体に対して合焦した複数の基準焦点距離状態を有し、各基準焦点距離状態とこれに隣接する基準焦点距離状態の間の軌道において無限遠合焦状態から最短距離合焦状態までの合焦状態を有し、
前記ファインダー系は、前記第２案内手段に沿った軌道において、前記基準距離にある被写体に対して合焦した複数の基準焦点距離状態を有し、各基準焦点距離状態とこれに隣接する基準焦点距離状態の間の軌道において無限遠合焦状態から最短距離合焦状態までの合焦状態を有することを特徴とするカメラ。
【請求項２】
基準状態から前記撮影レンズ系の各基準焦点距離状態までの前記駆動手段の回転駆動量と、前記基準状態から前記ファインダー系の各基準焦点距離状態までの前記駆動手段の回転駆動量とが一致することを特徴とする請求項１に記載のカメラ。
【請求項３】
前記撮影レンズ系において各基準焦点距離状態から所定距離の被写体に合焦させるのに必要な前記駆動手段の回転駆動量と、前記ファインダー系において対応する各基準焦点距離状態から前記所定距離の被写体に合焦させるのに必要な前記駆動手段の回転駆動量とが一致することを特徴とする請求項２に記載のカメラ。
【請求項４】
前記基準距離は無限遠であり、
前記撮影レンズ系および前記ファインダー系は、各基準焦点距離状態から所定方向に隣接する基準焦点距離状態への軌道に沿って無限遠合焦状態から最短距離合焦状態までの合焦状態を有することを特徴とする請求項１乃至３のいずれか１項に記載のカメラ。
【発明の詳細な説明】
【０００１】
【発明の属する技術分野】
本発明はカメラに関し、特に撮影レンズ系の光軸と異なる光軸を有し且つ近距離合焦が可能なファインダー系を備えたレンズシャッター式のカメラに関するものである。
【０００２】
【従来の技術】
従来から知られているレンズシャッター式のカメラでは、撮影レンズ系の光軸とファインダー系の光軸とが間隔を隔てて配置されているのが一般的である。また、レンズシャッター式のカメラでは、ズームレンズを備えたカメラが一般的である。特に、近年、３倍を超える変倍比を有する、いわゆる高変倍ズームレンズを備えたカメラが主流となり、より大きな変倍比のズームレンズを備えたカメラが増えている。
【０００３】
なお、レンズシャッター式のカメラに用いられる撮影レンズ系は、３５ｍｍフィルムに対して約３５ｍｍから約１００ｍｍの焦点距離範囲を有する標準系ズームレンズがほとんどである。そして、ズームレンズの変倍比が大きくなるにつれて、望遠端での焦点距離が長焦点化している。また、レンズシャッター式のカメラでは、撮影レンズ系の最短撮影距離が１ｍ程度が主流である。
【０００４】
一方、レンズシャッター式のカメラに用いられるファインダー系では、撮影レンズ系の変倍による画角の変化に応じて、視野角を変化させている。したがって、撮影レンズ系の変倍比が大きくなるにつれて、ファインダー系の変倍比も大きくなっている。これらのズームファインダー系は、実像式のファインダー系と虚像式のファインダー系とに分類される。一般的に、実像式のファインダー系の方が虚像式のファインダー系よりも、高変倍化と小型化との両立に適している。そこで、高変倍ズームレンズを備えたカメラでは、実像式のズームファインダー系が主流となっている。
【０００５】
実像式のズームファインダー系では、対物レンズ系の焦点距離が可変であり、変倍に際して対物レンズ系の可動レンズ群が光軸に沿って移動する。そして、被写体が例えば無限遠のような基準距離（以下、単に「基準距離」という）にある特定の撮影状態においてのみ、対物レンズ系により形成される被写体像の位置が視野枠位置と重なるように構成されている。
なお、視野角の最も広い広角端から最も狭い望遠端までの変倍範囲のうち、広角端でのファインダー倍率が最も小さくなる。ところで、ファインダー倍率が極端に小さいと、撮影者が被写体を視認しにくい。このため、広角端においても、撮影者が被写体を視認し易い程度のファインダー倍率を確保している。
【０００６】
【発明が解決しようとする課題】
一般に、撮影レンズ系の変倍比が大きくなり、望遠端での焦点距離が長焦点化するにしたがって、ファインダー系中の対物レンズ系の望遠端における焦点距離が正に大きくなる。したがって、被写体位置が変化すると、対物レンズ系により形成される被写体像の位置が光軸に沿って大きく変動してしまう。この被写体像の形成位置の変動は視度のずれを起こし、撮影者が積極的に眼を調節しなければ被写体を鮮明に観察することができなくなる。すなわち、従来技術では、撮影者の眼の負担が大きく、眼の疲れる、見にくいファインダー系となっていた。
【０００７】
そこで、特開平７−５５２７号公報には、最も物体側のレンズ群を光軸に沿って移動させてフォーカシング（合焦）を行うことにより、被写体位置の変化に伴う視度のずれを補正することのできるファインダー系が開示されている。しかしながら、特開平７−５５２７号公報に開示のファインダー系では、変倍のための駆動機構とフォーカシングのための駆動機構とを別々に設けなければならず、ファインダー系の構成の複雑化を招いていた。
【０００８】
本発明は、前述の課題に鑑みてなされたものであり、ファインダー系の構成の複雑化を招くことなく、被写体位置の変化に起因する視度のずれを補正することのできるファインダー系を備えたカメラを提供することを目的とする。
【０００９】
【課題を解決するための手段】
前記課題を解決するために、本発明においては、撮影レンズ系と、該撮影レンズ系の光軸とは異なる光軸を有するファインダー系とを備えたカメラにおいて、
前記撮影レンズ系と前記ファインダー系とを同時に変倍させるために、前記撮影レンズ系中の複数のレンズ群と前記ファインダー系中の複数のレンズ群とを同時に移動させるための駆動手段を備え、
前記駆動手段は、被写体の位置情報に基づいて前記撮影レンズ系の前記複数のレンズ群のうち少なくとも１つのレンズ群と前記ファインダー系の前記複数のレンズ群のうち少なくとも１つのレンズ群とを同時に移動させることによって、前記被写体に対して前記撮影レンズ系と前記ファインダー系とを同時に合焦させ、
前記駆動手段による回転駆動量を前記撮影レンズ系の少なくとも１つのレンズ群の光軸方向の移動量に変換するための第１案内手段と、前記駆動手段による回転駆動量を前記ファインダー系の少なくとも１つのレンズ群の光軸方向の移動量に変換するための第２案内手段とを有し、
前記撮影レンズ系は、前記第１案内手段に沿った軌道において基準距離にある被写体に対して合焦した複数の基準焦点距離状態を有し、各基準焦点距離状態とこれに隣接する基準焦点距離状態の間の軌道において無限遠合焦状態から最短距離合焦状態までの合焦状態を有し、
前記ファインダー系は、前記第２案内手段に沿った軌道において、前記基準距離にある被写体に対して合焦した複数の基準焦点距離状態を有し、各基準焦点距離状態とこれに隣接する基準焦点距離状態の間の軌道において無限遠合焦状態から最短距離合焦状態までの合焦状態を有することを特徴とするカメラを提供する。
【００１０】
本発明の好ましい態様によれば、基準状態から前記撮影レンズ系の各基準焦点距離状態までの前記駆動手段の回転駆動量と、前記基準状態から前記ファインダー系の各基準焦点距離状態までの前記駆動手段の回転駆動量とが一致する。
【００１１】
【発明の実施の形態】
まず、カメラを構成する撮影レンズ系およびファインダー系の変倍動作について説明する。
従来より、撮影レンズ系では、鏡筒内部に設けられたヘリコイドやカム等に沿ってモーター等の変倍駆動系により変倍レンズ群を回転駆動する。こうして、変倍レンズ群を光軸方向に移動させることによって、撮影レンズ系の焦点距離を変化させ、変倍動作を行っている。また、一般的に、変倍駆動系とは別の合焦駆動系により所定の合焦レンズ群を光軸方向に移動させることによって、被写体位置に応じた合焦動作を行っている。
【００１２】
一方、ファインダー系においても、ファインダーブロック内に設けられたカム等に沿ってモーター等の変倍駆動系により変倍レンズ群を回転駆動する。こうして、変倍レンズ群を光軸に沿って移動させることによって、変倍動作を行っている。一般的に、撮影レンズ系の変倍駆動系とファインダー系の変倍駆動系とを兼用化することにより、軽量化や省電力化を図っている。
【００１３】
ズームレンズからなる撮影レンズ系では、製造上の誤差を無視すれば、焦点距離が最も短い広角端から焦点距離が最も長い望遠端まで変倍する際に、無限遠の被写体に対する像位置は本来常に一定となる。一方、基準距離にある被写体に対して、被写体像の位置が変倍中常に一定ではないが所定のレンズ位置状態（所定の焦点距離状態に対応する）においてのみ断続的に一定となるような焦点距離可変のレンズ系は、ステップズーム系と呼ばれている。
【００１４】
特開昭６１−２５９２１０号公報に開示のカメラでは、撮影レンズ系をステップズーム系で構成し、所定のレンズ位置状態以外のカム軌道を合焦用に用いている。すなわち、フォーカスカムとズームカムとを兼用し、所定のレンズ位置状態において変倍駆動系により所定の合焦レンズ群を光軸方向に移動させて、被写体に対する合焦動作を行っている。こうして、従来の撮影レンズ系用の合焦駆動系を省略することにより、撮影レンズ系のフォーカシング機構の簡略化を図っている。
【００１５】
しかしながら、前述したように、同一の変倍駆動系により撮影レンズ系の変倍レンズ群とファインダー系の変倍レンズ群とを駆動しているので、撮影レンズ系の近距離合焦時にファインダー系の変倍レンズ群も駆動される。その結果、撮影レンズ系の合焦動作に伴ってファインダー系の変倍動作が引き起こされ、撮影レンズ系が変倍しないのにファインダー系の視野範囲が変化してしまうという不都合があった。
【００１６】
そこで、本発明においては、撮影レンズ系をステップズーム系で構成するだけでなく、ファインダー系もステップズーム系で構成している。また、基準距離にある被写体に対して合焦した所定のレンズ位置状態において、撮影レンズ系の画角とファインダー系の視野角とをほぼ一致させている。さらに、基準距離にある被写体に対して合焦した所定のレンズ位置状態において、撮影レンズ系の合焦レンズ群に所定の駆動量を与えて合焦動作を行うと、被写体に対して撮影レンズ系とファインダー系とが同時に合焦するように構成している。
【００１７】
このように、本発明では、撮影レンズ系のフォーカシング時に、ファインダー系も同時に合焦させることができる。したがって、ファインダー系の構成の複雑化を招くことなく、被写体位置の変化に起因する視度のずれを補正することができる。
特に、撮影レンズ系とファインダー系とを同一の駆動系により駆動することにより、双方の系の変倍動作および合焦動作を同時に行うので、カメラの簡易構成化に加えて省電力化も達成することができる。
【００１８】
以下、本発明の実施例を、添付図面に基づいて説明する。
図１は、本発明の各実施例にかかるカメラの構成を概略的に示す斜視図である。また、図２は、各実施例にかかるカメラの基本動作に関する処理の流れを説明するためのブロック図である。さらに、図３は、各実施例にかかるカメラの変倍動作および合焦動作におけるレンズ群の移動の様子を示す概念図である。
【００１９】
図１のカメラは、カメラ本体１を備えている。カメラ本体１には、光軸３を有する撮影レンズ系２と、光軸３とは間隔を隔てた光軸１０３を有するファインダー系１０１とが設けられている。また、カメラ本体１の前面（被写体側の面）には、被写体位置検出用の投受光系１１およびストロボ２０が設けられている。さらに、カメラ本体１の上面には、レリーズボタン１０が設けられている。
【００２０】
次に、図２および図３を参照して、カメラの基本動作に関する処理の流れを説明する。
まず、ズーミングボタン１４が押されると、メインＣＰＵ１５からモーターＭに対してズーミング駆動量を指令するズーミング命令が供給される。このズーミング命令にしたがって、モーターＭは、撮影レンズ系２およびファインダー系１０２を駆動する。こうして、図３において矢印Ａで示すように、初期的に設定されていたレンズ位置状態２０１が別のレンズ位置状態３０１へ移行し、撮影レンズ系２およびファインダー系１０２の変倍が行われる。
【００２１】
次に、レリーズボタン１０が半押し状態となると、メインＣＰＵ１５から被写体位置検出用の投受光系１１に測距命令が供給される。この測距命令にしたがって、投受光系１１は被写体の位置を検出し、測距結果である被写体位置情報をフォーカス駆動量演算系１２に出力する。
【００２２】
フォーカス駆動量演算系１２では、投受光系１１からの被写体位置情報に基づいて、被写体への合焦に必要なフォーカス駆動量をメインＣＰＵ１５に伝達する。メインＣＰＵ１５は、フォーカス駆動量を指令するフォーカス命令をモーターＭに供給する。このフォーカス命令にしたがって、モーターＭは、撮影レンズ系２およびファインダー系１０２を駆動する。こうして、図３において矢印Ｂで示すように、変倍動作によって設定されていたレンズ位置状態３０１から所定の合焦レンズ群の位置が変化し、撮影レンズ系２およびファインダー系１０２の被写体に対する合焦が行われる。
【００２３】
最後に、レリーズボタン１０が押し切られると、メインＣＰＵ１５からシャッター１３にシャッター開閉命令が供給される。このシャッター開閉命令にしたがって、シャッター１３が開口し、露出が行われる。
図４は、本発明の各実施例にかかるカメラの内部構成図であって、撮影レンズ系の光軸３とファインダー系の光軸１０３とを通過するように切った断面図である。また、図５は、撮影レンズ系の光軸３に対して垂直な面に沿った断面図である。
【００２４】
図４に示すように、撮影レンズ２は可変焦点距離レンズであり、物体側から順に、正屈折力の第１レンズ群Ｇ１と、負屈折力の第２レンズ群Ｇ２と、正屈折力の第３レンズ群Ｇ３と、正屈折力の第４レンズ群Ｇ４と、負屈折力の第５レンズ群Ｇ５とから構成されている。第１レンズ群Ｇ１〜第５レンズ群Ｇ５は、それぞれレンズ室Ｌ１〜Ｌ５に保持されている。レンズ室Ｌ２およびＬ４は、シャッターユニットＳに固定されている。レンズ室Ｌ３は、外周部に設けられたヘリコイドを介してレンズ室Ｌ２内に保持され、ズーミング（変倍）時には駆動レバーＫの光軸３を中心とした回転によりシャッターユニットＳに対して光軸方向に駆動される。駆動レバーＫは、シャッターユニットＳ内のステッピングモーター（不図示）に与えられる電気的信号に基づいて回転駆動され、第３レンズ群Ｇ３を光軸３を中心として回転させる。したがって、第３レンズ群Ｇ３は、ヘリコイドの作用により、光軸３を中心として回転しながら光軸３に沿って移動する。
【００２５】
レンズ室Ｌ１は第１レンズ鏡筒Ｔ１に直接固定され、第１レンズ鏡筒Ｔ１は第２レンズ鏡筒Ｔ２に対してヘリコイドを介して取り付けられている。そして、図５に示すように、モーターＭにより第２レンズ鏡筒Ｔ２が回転駆動されると、第１レンズ鏡筒Ｔ１がひいてはレンズ室Ｌ１および第１レンズ群Ｇ１が光軸３に沿って移動する。
【００２６】
シャッターユニットＳおよびレンズ室Ｌ５は、それぞれ外周部に設けられたフォロアーピン（不図示）により第２レンズ鏡筒Ｔ２内部に保持されている。そして、モーターＭの回転により第２レンズ鏡筒Ｔ２が回転駆動されると、シャッターユニットＳおよびレンズ室Ｌ５が第２レンズ鏡筒Ｔ２内に設けられたカムに沿って光軸方向に案内される。すなわち、モーターＭにより第２レンズ鏡筒Ｔ２が回転駆動されると、第２レンズ群Ｇ２と第４レンズ群Ｇ４とが一体的に光軸３に沿って移動するとともに、第５レンズ群Ｇ５も光軸３に沿って移動する。
【００２７】
また、図４に示すように、ファインダー系１０１は、対物レンズ系１０４と、視野枠１０６と、接眼レンズ系１０５とで構成されている。対物レンズ系１０４は、物体側から順に、レンズ群ｇ１と、レンズ群ｇ２と、レンズ群ｇ３と、コンデンサーレンズｇｃとから構成されている。なお、対物レンズ系１０４を構成するレンズ群ｇ１乃至ｇｃは、レンズ室内において、それぞれレンズホルダーｈ１乃至ｈｃにより保持されている。また、接眼レンズ系１０５は、プリズムＰと、アイピースｇ４とから構成されている。
【００２８】
図５に示すように、ズーミング時には、モーターＭからの回転駆動力が遊星ギアＹを介してズーミングレバーＲに伝達される。こうして、レンズ群ｇ１〜ｇｃのうち変倍レンズ群は、各レンズホルダーの下部に設けられたガイドピン（不図示）の作用により、ズーミングレバーＲ上に設けられたカムに沿って光軸方向に駆動される。こうして、ファインダー系１０１の対物レンズ系１０４の焦点距離が変化し、視野が変化する。
【００２９】
従来のカメラでは、撮影レンズ系とファインダー系とが同一の駆動系により駆動され、撮影レンズ系の変倍レンズ群およびファインダー系の変倍レンズ群がそれぞれ光軸に沿って移動するように構成されているのが一般的である。したがって、本発明においても、撮影レンズ系２の変倍レンズ群（第３レンズ群Ｇ３を除く）とファインダー系１０１の変倍レンズ群とが同一の駆動系すなわち同一のモーターＭにより光軸方向に駆動される。
【００３０】
〔第１実施例〕
図６は、第１実施例の撮影レンズ系２においてモーターＭにより駆動される変倍レンズ群Ｇ１、Ｇ２、Ｇ４およびＧ５について、第２レンズ鏡筒Ｔ２の回転角θと各レンズ群の光軸方向の移動量ｘとの関係を示す図である。なお、前述しように、第２レンズ群Ｇ２と第４レンズ群Ｇ４とは一体的に移動するため、第２レンズ群Ｇ２についての回転角θと移動量ｘとの関係の図示を省略している。
また、図７は、第１実施例のファインダー系１０１においてモーターＭにより駆動される変倍レンズ群ｇ１およびｇ２について、ズーミングレバーＲの回転角θ' と各レンズ群の光軸方向の移動量ｘ' との関係を示す図である。図７に示すように、レンズ群ｇ３およびｇｃは、変倍に際して光軸方向に固定である。
【００３１】
図６に示すように、撮影レンズ系２では、無限遠合焦状態として、広角端から望遠端までの焦点距離範囲においてＡ〜Ｇの７つのレンズ位置状態だけが存在する。このように、撮影レンズ系２はステップズームレンズであり、レンズ位置状態Ａ（広角端）〜Ｇ（望遠端）において各レンズ群同士の間隔が決定されている。また、Ａ’〜Ｇ’で示す範囲は、それぞれＡ〜Ｇのレンズ位置状態でフォーカシングを行う際の各レンズ群の移動軌跡（カム軌道）を示している。さらに、Ａ''〜Ｇ''は、最短距離撮影状態（１ｍ）での各レンズ群の位置を示している。
【００３２】
したがって、各レンズ位置状態（各焦点距離状態）において、被写体位置が無限遠から近距離（１ｍ）に変化すると、ＡからＡ''の状態に、ＢからＢ''の状態に、ＣからＣ''の状態に、ＤからＤ''の状態に、ＥからＥ''の状態に、ＦからＦ''の状態に、ＧからＧ''の状態に各レンズ群が移動する。なお、図６では、説明を簡単にするために、各レンズ群の移動軌跡を折れ線状に表している。しかしながら、実際には、カム軌道は滑らかに連続的であり、移動量ｘを回転角θについて微分した値ｄｘ／ｄθもほぼ連続的に変化している。
【００３３】
また、図７に示すように、ファインダー系１０１では、無限遠合焦状態として、広角端から望遠端までの変倍範囲においてａ〜ｇの７つのレンズ位置状態だけが存在する。このように、ファインダー系１０１もステップズームレンズであり、各レンズ位置状態ａ（広角端）〜ｇ（望遠端）において各レンズ群同士の間隔が決定されている。また、ａ’〜ｇ’で示す範囲は、それぞれａ〜ｇのレンズ位置状態でフォーカシングを行う際の各レンズ群の移動軌跡（カム軌道）を示している。さらに、ａ''〜ｇ''は、最短距離撮影状態（１ｍ）での各レンズ群の位置を示している。
【００３４】
したがって、各レンズ位置状態（各焦点距離状態）において、被写体位置が無限遠から近距離（１ｍ）に変化すると、ａからａ''の状態に、ｂからｂ''の状態に、ｃからｃ''の状態に、ｄからｄ''の状態に、ｅからｅ''の状態に、ｆからｆ''の状態に、ｇからｇ''の状態に各レンズ群が移動する。なお、図７においても、説明を簡単にするために、各レンズ群の移動軌跡を折れ線状に表している。しかしながら、実際には、カム軌道は滑らかに連続的であり、移動量ｘ' を回転角θ' について微分した値ｄｘ' ／ｄθ' もほぼ連続的に変化している。
【００３５】
なお、前述したように、撮影レンズ系２とファインダー系１０１とは１つのモーターＭにより一体的に駆動される。そして、撮影レンズ系２の各レンズ位置状態Ａ〜Ｇとファインダー系１０１の各レンズ位置状態ａ〜ｇとがそれぞれ対応している。また、同一の被写体に対して、撮影レンズ系２とファインダー系１０１とが同時に合焦するように構成されている。
【００３６】
次の表（１）に、第１実施例における撮影レンズ系２の諸元の値を示す。なお、表（１）において、Ｄ１は第１レンズ群Ｇ１と第２レンズ群Ｇ２との主点間隔を、Ｄ２は第２レンズ群Ｇ２と第３レンズ群Ｇ３との主点間隔を、Ｄ３は第３レンズ群Ｇ３と第４レンズ群Ｇ４との主点間隔を、Ｄ４は第４レンス群Ｇ４と第５レンズ群Ｇ５との主点間隔を、Ｂｆはバックフォーカスを、ｆは撮影レンズ系全体の焦点距離をそれぞれ表している。なお、Ｄ１〜Ｄ４の値は、光線の進行方向を正としている。また、θは、広角端であるレンズ位置状態Ａからの第２レンズ鏡筒Ｔ２の回転角である。
【００３７】
【表１】
0003726269.tif 000002
【００３８】
次の表（２）に、第１実施例におけるファインダー系１０１の対物レンズ系１０４の諸元の値を示す。なお、表（２）において、ｄ１はレンズ群ｇ１とレンズ群ｇ２との主点間隔を、ｄ２はレンズ群ｇ２とレンズ群ｇ３との主点間隔を、ｄ３はレンズ群ｇ３とレンズ群ｇｃとの主点間隔を、Ｂｆはバックフォーカスを、ｆは対物レンズ系全体の焦点距離をそれぞれ表している。なお、ｄ１〜ｄ３の値は、光線の進行方向を正としている。また、θ' は広角端であるレンズ位置状態ａからのズーミングレバーＲの回転角であり、各レンズ位置状態において第２レンズ鏡筒Ｔ２の回転角θと一致している。
【００３９】
【表２】
0003726269.tif 000003
【００４０】
第１実施例における撮影レンズ系２では、近距離物体への合焦に際して、第１レンズ群Ｇ１乃至第４レンズ群Ｇ４を一体的に物体側へ移動させ、第５レンズ群Ｇ５を異なる移動量で物体側へ移動させている。以下の表（３）に、無限遠撮影状態から最短距離撮影状態（１ｍ）までの第１レンズ群Ｇ１の繰り出し量Δ１、第５レンズ群Ｇ５の繰り出し量Δ５、および第５レンズ群Ｇ５の繰り出し量Δ５の第１レンズ群Ｇ１の繰り出し量Δ１に対する比γ＝Δ５／Δ１を示す。ただし、繰り出し量Δ１およびΔ５は、物体側への移動量を正とする。なお、表（３）において、Δθは、各レンズ位置状態Ａ〜Ｇにおける無限遠撮影状態から最短距離撮影状態までの第２レンズ鏡筒Ｔ２の回転角である。表（３）に示すように、第１実施例では、回転角Δθが各レンズ位置状態Ａ〜Ｇにおいて一定である。
【００４１】
【表３】
0003726269.tif 000004
【００４２】
第１実施例によるファインダー系１０１では、近距離物体への合焦に際して、レンズ群ｇ１を物体側へ移動させている。次の表（４）に、無限遠撮影状態から最短距離撮影状態までのレンズ群ｇ１の繰り出し量δ１を示す。ただし、繰り出し量δ１は、物体側への移動量を正とする。なお、無限遠撮影状態から最短距離撮影状態までのズーミングレバーＲの回転角Δθ' は第２レンズ鏡筒Ｔ２の回転角θと一致するので、各レンズ位置状態ａ〜ｇにおいて一定である。
【００４３】
【表４】
0003726269.tif 000005
【００４４】
第１実施例のファインダー系１０１では、最も物体側のレンズ群ｇ１を光軸に沿って移動させて合焦動作を行っているが、この合焦レンズ群ｇ１の変倍時の移動量は少ない。したがって、各レンズ位置状態ａ〜ｇにおける合焦レンズ群ｇ１の繰り出し量をほぼ一定にすることができる。
このように、第１実施例では、１つのモーターＭにより撮影レンズ系２およびファインダー系１０１を駆動して、双方の光学系の変倍動作および合焦動作を同時に行うことができる。
【００４５】
〔第２実施例〕
図８は、第２実施例の撮影レンズ系２においてモーターＭにより駆動される変倍レンズ群Ｇ１、Ｇ２、Ｇ４およびＧ５について、第２レンズ鏡筒Ｔ２の回転角θと各レンズ群の光軸方向の移動量ｘとの関係を示す図である。なお、第２レンズ群Ｇ２と第４レンズ群Ｇ４とは一体的に移動するため、第２レンズ群Ｇ２についての回転角θと移動量ｘとの関係の図示を省略している。
また、図９は、第１実施例のファインダー系１０１においてモーターＭにより駆動される変倍レンズ群ｇ１〜ｇ３について、ズーミングレバーＲの回転角θ' と各レンズ群の光軸方向の移動量ｘ' との関係を示す図である。図９に示すように、レンズ群ｇｃは、常に光軸方向に固定である。
【００４６】
図８に示すように、撮影レンズ系２では、無限遠合焦状態として、広角端から望遠端までの焦点距離範囲においてＡ〜Ｇの７つのレンズ位置状態だけが存在する。このように、撮影レンズ系２はステップズームレンズであり、各レンズ位置状態Ａ（広角端）〜Ｇ（望遠端）において各レンズ群同士の間隔が決定されている。また、Ａ’〜Ｇ’で示す範囲は、それぞれＡ〜Ｇのレンズ位置状態でフォーカシングを行う際の各レンズ群の移動軌跡（カム軌道）を示している。さらに、Ａ''〜Ｇ''は、最短距離撮影状態（１ｍ）での各レンズ群の位置を示している。
【００４７】
したがって、各レンズ位置状態において被写体位置が無限遠から近距離（１ｍ）に変化すると、ＡからＡ''の状態に、ＢからＢ''の状態に、ＣからＣ''の状態に、ＤからＤ''の状態に、ＥからＥ''の状態に、ＦからＦ''の状態に、ＧからＧ''の状態に各レンズ群が移動する。なお、図８では、説明を簡単にするために、各レンズ群の移動軌跡を折れ線状に表している。しかしながら、実際には、カム軌道は滑らかに連続的であり、移動量ｘを回転角θについて微分した値ｄｘ／ｄθもほぼ連続的に変化している。
【００４８】
また、図９に示すように、ファインダー系１０１では、無限遠合焦状態として、広角端から望遠端までの変倍範囲においてａ〜ｇの７つのレンズ位置状態だけが存在する。ファインダー系１０１もステップズームレンズであり、各レンズ位置状態ａ（広角端）〜ｇ（望遠端）における各レンズ群同士の間隔が決定されている。また、ａ’〜ｇ’で示す範囲は、それぞれａ〜ｇのレンズ位置状態でフォーカシングを行う際の各レンズ群の移動軌跡（カム軌道）を示している。さらに、ａ''〜ｇ''は、最短距離撮影状態（１ｍ）での各レンズ群の位置を示している。
【００４９】
したがって、各レンズ位置状態において被写体位置が無限遠から近距離（１ｍ）に変化すると、ａからａ''の状態に、ｂからｂ''の状態に、ｃからｃ''の状態に、ｄからｄ''の状態に、ｅからｅ''の状態に、ｆからｆ''の状態に、ｇからｇ''の状態に各レンズ群が移動する。なお、図９においても、説明を簡単にするために、各レンズ群の移動軌跡を折れ線状に表している。しかしながら、実際には、カム軌道は滑らかに連続的であり、移動量ｘ' を回転角θ' について微分した値ｄｘ' ／ｄθ' もほぼ連続的に変化している。
【００５０】
なお、前述したように、撮影レンズ系２とファインダー系１０１とは１つのモーターＭにより一体的に駆動される。そして、撮影レンズ系２の各レンズ位置状態Ａ〜Ｇとファインダー系１０１の各レンズ位置状態ａ〜ｇとがそれぞれ対応している。また、同一の被写体に対して、撮影レンズ系２とファインダー系１０１とが同時に合焦するように構成されている。
【００５１】
第２実施例における撮影レンズ系２およびファインダー系１０１の諸元の値は第１実施例と同じであり、それぞれ表（１）および表（２）に示すとおりである。したがって、第２実施例における撮影レンズ系２およびファインダー系１０１の諸元の値の表示を省略する。
【００５２】
第２実施例における撮影レンズ系２では、近距離物体への合焦に際して、第１レンズ群Ｇ１乃至第４レンズ群Ｇ４を一体的に物体側へ移動させ、第５レンズ群Ｇ５を異なる移動量で物体側へ移動させている。以下の表（５）に、無限遠撮影状態から最短距離撮影状態（１ｍ）までの第１レンズ群Ｇ１の繰り出し量Δ１、第５レンズ群Ｇ５の繰り出し量Δ５、および第５レンズ群Ｇ５の繰り出し量Δ５の第１レンズ群Ｇ１の繰り出し量Δ１に対する比γ＝Δ５／Δ１を示す。ただし、繰り出し量Δ１およびΔ５は、物体側への移動量を正とする。なお、表（５）において、Δθは、各レンズ位置状態Ａ〜Ｇにおける無限遠撮影状態から最短距離撮影状態までの第２レンズ鏡筒Ｔ２の回転角である。表（５）に示すように、第２実施例では、回転角Δθが各レンズ位置状態Ａ〜Ｇで互いに異なっている。
【００５３】
【表５】
0003726269.tif 000006
【００５４】
第２実施例によるファインダー系１０１では、近距離物体への合焦に際して、レンズ群ｇ３を像側へ移動させている。次の表（６）に、無限遠撮影状態から最短距離撮影状態までのレンズ群ｇ３の繰り出し量δ３を示す。ただし、繰り出し量δ３は、像側への移動量を正とする。なお、無限遠撮影状態から最短距離撮影状態までのズーミングレバーＲの回転角Δθ' は第２レンズ鏡筒Ｔ２の回転角θと一致するので、各レンズ位置状態ａ〜ｇにおいて互いに異なっている。
【００５５】
【表６】
0003726269.tif 000007
【００５６】
このように、第２実施例においても、１つのモーターＭにより撮影レンズ系２およびファインダー系１０１を駆動して、双方の光学系の変倍動作および合焦動作を同時に行うことができる。
なお、撮影レンズ系の口径比が最短焦点距離状態（広角端）と最長焦点距離状態（望遠端）とで異なる場合、各レンズ位置状態において焦点深度が異なる。したがって、第２レンズ鏡筒Ｔ２およびズーミングレバーＲの回転角をレンズ位置状態に依存することなく一定にすると、回転角の制御精度すなわちレンズ群位置の制御精度が望遠端のレンズ位置状態よりも広角端のレンズ位置状態において極端に過剰になる。あるいは、各レンズ位置状態により回転角の制御精度を変化させなければならず、カメラの複雑化を招いてしまう。
【００５７】
このため、第２実施例においては、無限遠撮影状態から最短距離撮影状態までの繰り出し量が最短焦点距離状態（広角端）よりも最長焦点距離状態（望遠端）において大きくなるようなレンズ群を合焦レンズ群として選択している。こうして、第２実施例では、回転角の制御精度がレンズ位置状態によってあまり変化しないので、合焦レンズ群の制御を容易に行うことができる。
【００５８】
〔第３実施例〕
図１０は、第３実施例の撮影レンズ系２においてモーターＭにより駆動される変倍レンズ群Ｇ１〜Ｇ５について、第２レンズ鏡筒Ｔ２の回転角θと各レンズ群の光軸方向の移動量ｘとの関係を示す図である。なお、第２レンズ群Ｇ２と第４レンズ群Ｇ４とは一体的に移動するため、第２レンズ群Ｇ２についての回転角θと移動量ｘとの関係の図示を省略している。
また、図１１は、第３実施例のファインダー系１０１においてモーターＭにより駆動される変倍レンズ群ｇ１およびｇ２について、ズーミングレバーＲの回転角θ' と各レンズ群の光軸方向の移動量ｘ' との関係を示す図である。図１１に示すように、レンズ群ｇ３およびレンズ群ｇｃは、変倍に際して光軸方向に固定である。
【００５９】
図１０に示すように、撮影レンズ系２では、無限遠合焦状態として、広角端から望遠端までの焦点距離範囲においてＡ〜Ｇの７つのレンズ位置状態だけが存在する。このように、撮影レンズ系２はステップズームレンズであり、各レンズ位置状態Ａ（広角端）〜Ｇ（望遠端）における各レンズ群同士の間隔が決定されている。また、Ａ’〜Ｇ’で示す範囲は、それぞれＡ〜Ｇのレンズ位置状態でフォーカシングを行う際の各レンズ群の移動軌跡（カム軌道）を示している。さらに、Ａ''〜Ｇ''は、最短距離撮影状態（１ｍ）での各レンズ群の位置を示している。
【００６０】
したがって、各レンズ位置状態において被写体位置が無限遠から近距離（１ｍ）に変化すると、ＡからＡ''の状態に、ＢからＢ''の状態に、ＣからＣ''の状態に、ＤからＤ''の状態に、ＥからＥ''の状態に、ＦからＦ''の状態に、ＧからＧ''の状態に各レンズ群が移動する。なお、図１０では、説明を簡単にするために、各レンズ群の移動軌跡を折れ線状に表している。しかしながら、実際には、カム軌道は滑らかに連続的であり、移動量ｘを回転角θについて微分した値ｄｘ／ｄθもほぼ連続的に変化している。
【００６１】
また、図１１に示すように、ファインダー系１０１では、無限遠合焦状態として、広角端から望遠端までの変倍範囲においてａ〜ｇの７つのレンズ位置状態だけが存在する。このように、ファインダー系１０１もステップズームレンズであり、各レンズ位置状態ａ（広角端）〜ｇ（望遠端）における各レンズ群同士の間隔が決定されている。また、ａ’〜ｇ’で示す範囲は、それぞれａ〜ｇのレンズ位置状態でフォーカシングを行う際の各レンズ群の移動軌跡（カム軌道）を示している。さらに、ａ''〜ｇ''は、最短距離撮影状態（１ｍ）での各レンズ群の位置を示している。
【００６２】
したがって、各レンズ位置状態において被写体位置が無限遠から近距離（１ｍ）に変化すると、ａからａ''の状態に、ｂからｂ''の状態に、ｃからｃ''の状態に、ｄからｄ''の状態に、ｅからｅ''の状態に、ｆからｆ''の状態に、ｇからｇ''の状態にレンズ群ｇ１およびｇ２が移動する。なお、図１１においても、説明を簡単にするために、各レンズ群の移動軌跡を折れ線状に表している。しかしながら、実際には、カム軌道は滑らかに連続的であり、移動量ｘ' を回転角θ' について微分した値ｄｘ' ／ｄθ' もほぼ連続的に変化している。
【００６３】
なお、前述したように、撮影レンズ系２とファインダー系１０１とは１つのモーターＭにより一体的に駆動される。そして、撮影レンズ系２の各レンズ位置状態Ａ〜Ｇとファインダー系１０１の各レンズ位置状態ａ〜ｇとがそれぞれ対応している。また、同一の被写体に対して、撮影レンズ系２とファインダー系１０１とが同時に合焦するように構成されている。
【００６４】
第３実施例における撮影レンズ系２およびファインダー系１０１の諸元の値は第１実施例と同じであり、それぞれ表（１）および表（２）に示すとおりである。したがって、第３実施例における撮影レンズ系２およびファインダー系１０１の諸元の値の表示を省略する。
【００６５】
第３実施例における撮影レンズ系２では、前述したように、モーターＭにより各レンズ群Ｇ１〜Ｇ５を図中実線で示す軌道に沿って移動させて、各レンズ位置状態において無限遠物体に対して合焦させる。一方、近距離物体への合焦に際しては、駆動レバーＫにより第３レンズ群Ｇ３だけを図中破線で示す軌道に沿って移動させている。以下の表（７）に、無限遠撮影状態から最短距離撮影状態（１ｍ）までの第４レンズ群Ｇ４に対する第３レンズ群Ｇ３の相対移動量Δ３を示す。ただし、相対移動量Δ１は、物体側への移動量を正とする。なお、Δθは、各レンズ位置状態Ａ〜Ｇにおける無限遠撮影状態から最短距離撮影状態までの第２レンズ鏡筒Ｔ２の回転角である。表（７）に示すように、第３実施例では、回転角Δθが各レンズ位置状態Ａ〜Ｇで互いに異なっている。
【００６６】
【表７】
0003726269.tif 000008
【００６７】
第３実施例によるファインダー系１０１では、第１実施例と同様に、近距離物体への合焦に際して、レンズ群ｇ１を物体側へ移動させている。次の表（８）に、無限遠撮影状態から最短距離撮影状態までのレンズ群ｇ１の繰り出し量δ１を示す。ただし、繰り出し量δ１は、物体側への移動量を正とする。
【００６８】
【表８】
0003726269.tif 000009
【００６９】
このように、第３実施例においても、１つのモーターＭにより撮影レンズ系２およびファインダー系１０１を駆動して、双方の光学系の変倍動作および合焦動作を同時に行うことができる。
第３実施例においては、第３レンズ群Ｇ３だけを移動させて近距離合焦を行っているので、撮影レンズ系２を特にステップズームレンズで構成する必要がない。撮影レンズ系２がステップズームレンズの場合、例えばレンズ位置状態Ｂから若干ずれた位置に各レンズが停止すると、焦点距離がずれて制御上の誤差が生じてピンぼけとなり易い。しかしながら、撮影レンズ系２をズームレンズで構成することにより、制御上の誤差を抑えることができる。
【００７０】
なお、上述の各実施例では、説明を簡単にするために無限遠を基準距離とし、各レンズ位置状態において無限遠の被写体に合焦するものとしている。しかしながら、所定の有限距離を基準距離とし、各レンズ位置状態において所定の有限距離にある被写体に合焦するように構成することもできる。
また、実像式のファインダー系の方が高変倍化に適しているため、上述の各実施例では、実像式のファインダー系を用いた例を示している。しかしながら、虚像式のファインダー系を用いたカメラにも本発明を適用することができる。
【００７１】
また、第２実施例においては、ファインダー系の合焦に際してレンズ群ｇｃを光軸方向に移動させるため、射出瞳位置の変動が若干生じる。したがって、合焦に際する射出瞳の移動が大きくなる場合、レンズ群ｇｃを２つの部分レンズ群に分割し、物体側に配置される部分レンズ群を合焦レンズ群として用いることが望ましい。
【００７２】
【効果】
以上説明したように、本発明によれば、ファインダー系の構成の複雑化を招くことなく、被写体位置の変化に起因する視度のずれを補正することができる。
【図面の簡単な説明】
【図１】本発明の各実施例にかかるカメラの構成を概略的に示す斜視図である。
【図２】各実施例にかかるカメラの基本動作に関する処理の流れを説明するためのブロック図である。
【図３】各実施例にかかるカメラの変倍動作および合焦動作におけるレンズ群の移動の様子を示す概念図である。
【図４】本発明の各実施例にかかるカメラの内部構成図であって、撮影レンズ系の光軸３とファインダー系の光軸１０３とを通過するように切った断面図である。
【図５】撮影レンズ系の光軸３に対して垂直な面に沿った断面図である。
【図６】第１実施例の撮影レンズ系２においてモーターＭにより駆動される変倍レンズ群Ｇ１、Ｇ２、Ｇ４およびＧ５について、第２レンズ鏡筒Ｔ２の回転角θと各レンズ群の光軸方向の移動量ｘとの関係を示す図である。
【図７】第１実施例のファインダー系１０１においてモーターＭにより駆動される変倍レンズ群ｇ１およびｇ２について、ズーミングレバーＲの回転角θ' と各レンズ群の光軸方向の移動量ｘ' との関係を示す図である。
【図８】第２実施例の撮影レンズ系２においてモーターＭにより駆動される変倍レンズ群Ｇ１、Ｇ２、Ｇ４およびＧ５について、第２レンズ鏡筒Ｔ２の回転角θと各レンズ群の光軸方向の移動量ｘとの関係を示す図である。
【図９】第１実施例のファインダー系１０１においてモーターＭにより駆動される変倍レンズ群ｇ１〜ｇ３について、ズーミングレバーＲの回転角θ' と各レンズ群の光軸方向の移動量ｘ' との関係を示す図である。
【図１０】第３実施例の撮影レンズ系２においてモーターＭにより駆動される変倍レンズ群Ｇ１〜Ｇ５について、第２レンズ鏡筒Ｔ２の回転角θと各レンズ群の光軸方向の移動量ｘとの関係を示す図である。
【図１１】第３実施例のファインダー系１０１においてモーターＭにより駆動される変倍レンズ群ｇ１およびｇ２について、ズーミングレバーＲの回転角θ' と各レンズ群の光軸方向の移動量ｘ' との関係を示す図である。
【符号の説明】
１      カメラ本体
２      撮影レンズ系
３      撮影レンズ系の光軸
１０    レリーズボタン
１１    投受光系
１２    フォーカス駆動量演算系
１３    シャッター
１４    ズーミングボタン
１５    メインＣＰＵ
２０    ストロボ
１０１  ファインダー系
１０３  ファインダー系の光軸
１０４  対物レンズ系
１０５  接眼レンズ系
【図１】
0003726269.tif 000010
【図２】
0003726269.tif 000011
【図３】
0003726269.tif 000012
【図４】
0003726269.tif 000013
【図５】
0003726269.tif 000014
【図６】
0003726269.tif 000015
【図７】
0003726269.tif 000016
【図８】
0003726269.tif 000017
【図９】
0003726269.tif 000018
【図１０】
0003726269.tif 000019
【図１１】
0003726269.tif 000020